(57)【特許請求の範囲】
【請求項１】
記録媒体に記録された撮影情報、あるいは写真焼付時のプリント情報を印画紙にプリントする写真現像処理装置であって、
印画紙を所定速度で搬送する搬送手段と、
印画紙搬送方向と略直交する方向に所定ラインずつ順次プリントすることにより、所定速度で搬送される印画紙に前記撮影情報をプリントするプリント手段と、
前記プリント手段に対して印画紙搬送経路の上流側に配設され、印画紙を所定寸法に裁断するカッターと、
前記カッターが、前記撮影情報のプリント途中に印画紙を一端停止させて印画紙を裁断した後、印画紙の搬送を再開させたために生じるプリント位置のずれを修正するために、印画紙の搬送タイミング及び前記プリント手段のプリントタイミングを調整するタイミング制御手段とを備えることを特徴とする写真現像処理装置。
【請求項２】
前記タイミング制御手段は、印画紙を裁断することにより印画紙が印画紙搬送方向に、１ライン未満に相当する距離を移動した場合、前記搬送機構に対して、印画紙搬送方向に印画紙を２ライン分搬送させるのに相当する駆動信号を出力した後に、前記プリント手段によるプリントを開始させることを特徴とする請求項１記載の写真現像処理装置。
【請求項３】
前記タイミング制御手段は、印画紙を裁断することにより印画紙が印画紙搬送方向に、１ライン以上に相当する距離を移動した場合、印画紙の搬送が開始されるまでの間に１ライン分のプリントを行うことを特徴とする請求項１記載の写真現像処理装置。
【請求項４】
前記タイミング制御手段は、印画紙の搬送が開始されるまでの間に１ライン分のプリントを行うとともに、印画紙搬送方向に印画紙を２ライン分搬送させるのに相当する駆動信号を出力した後、前記プリント手段によるプリントを開始させることを特徴とする請求項３記載の写真現像処理装置。
【発明の詳細な説明】
【０００１】
【発明の属する技術分野】
本発明は、撮影日時などの撮像情報あるいは写真焼付時のプリント情報をプリントする写真現像処理装置に関する。
【０００２】
【従来の技術】
従来より、１コマごとに、フィルムの磁気記録領域に記録された例えば撮影条件、撮影日時、被写体に関する事項、メッセ−ジなどの撮影情報を、印画紙の表面にプリント（フロントプリント）する写真現像処理装置が知られている。
【０００３】
このような写真現像処理装置は、印画紙を搬送する搬送機構と、印画紙の搬送経路上に配設され、例えばＬＥＤ（発光ダイオード）がアレイ状に配列されたフロントプリンタと、搬送経路上フロントプリンタの上流側に配設され、搬送方向に対して長尺の印画紙を１枚の写真サイズに裁断するカッターなどを具備しており、所定速度で搬送される印画紙は、フロントプリンタによって、撮影情報が、印画紙搬送方向とほぼ直交する方向に、例えば１ラインずつ順次露光される。また、搬送機構は、印画紙を搬送する搬送ベルト及び搬送ベルトを駆動する例えばステッピングモータなどから構成され、搬送ベルトは、ステッピングモータが受信するパルス信号によって制御される。なお、印画紙はカッターによって裁断される際、搬送が一旦停止される。また、カッター及びフロントプリンタ間の距離は、装置の小型化を図るために、１枚の写真サイズより短く設定されているのが一般的である。
【０００４】
このように構成された写真現像処理装置は、印画紙に対して以下のようにしてフロントプリントを施す。まず、フロントプリンタの位置まで搬送された印画紙は、所定速度で搬送されつつ、フロントプリンタによって、露光されていく。そして、印画紙の先端が、カッターから写真サイズの距離分搬送されると、印画紙の搬送は停止され、フロントプリンタは印画紙の露光を一旦中断する。そして、印画紙が所定寸法に裁断されると、再び搬送が開始されて、撮影情報の露光が再開される。
【０００５】
【発明が解決しようとする課題】
しかしながら、撮影情報の露光途中で印画紙を裁断すると、裁断時の衝撃などの影響によって、印画紙は印画紙搬送方向の下流側におよそ１ドット分移動されるため、この状態から印画紙を１ライン分搬送させた後、フロントプリンタによる露光を再開すると、図５に示すように前回露光した１ラインの画像ＢＬ（この場合、印画紙搬送方向と直交する方向に７ドット分露光されている）と今回露光した１ラインＰＬの画像との印画紙搬送方向の間隔が大きくなり、いわゆるドット抜けＮＤが生じてしまう。
【０００６】
また、印画紙の搬送を再開するために搬送機構にパルス信号を出力しても、搬送ベルトののびなどの影響により、印画紙は直ちに搬送されず、搬送遅延が発生する。この搬送遅延は、印画紙を１ライン分搬送するのに相当するパルス信号分遅延するのが一般的である。
【０００７】
そのため、パルス信号の出力により印画紙が直ぐに搬送されているものとして、プリントを再開すると、図６に示すように、搬送再開直後に露光した１ラインの画像が前回露光した１ラインの画像と重なり、いわゆるドットの重なりＷＤ（図６で示された重なりはイメージを示したものである。つまり、技術的には、ドットが若干重なる場合や、ドット間隔が狭められることを示している。）が生じてしまう。
【０００８】
一方、撮影情報の露光途中での印画紙の裁断を避けるために、印画紙の先端をカッターから写真サイズ分の距離まで搬送して、カッターにより印画紙を写真サイズに裁断した後、その印画紙をフロントプリンタの手前位置まで巻き戻してフロントプリントを行う方法も考えられるが、これでは、処理の効率化という点で問題がある。
【０００９】
また、印画紙の裏面にバックプリンタを用いてバックプリントを施した場合も上記フロントプリンタと同様の問題が発生する。
【００１０】
本発明はこのような問題を解決するためになされたものであり、撮影情報のプリントを途中で一旦停止し、印画紙を裁断した後、撮影情報のプリントを再開してもドット抜け及びドットの重なりが生じない写真処理装置を提供することを目的とする。
【００１１】
【課題を解決するための手段】
上記課題を解決するために本発明に係る写真現像処理装置は、写真フィルムに記録された撮影情報を印画紙にプリントする写真現像処理装置であって、印画紙を所定速度で搬送する搬送手段と、印画紙搬送方向と略直交する方向に所定ラインずつ順次プリントすることにより、所定速度で搬送される印画紙に前記撮影情報をプリントするプリント手段と、前記プリント手段に対して印画紙搬送経路の上流側に配設され、印画紙を所定寸法に裁断するカッターと、前記カッターが、前記撮影情報のプリント途中に印画紙を一端停止させて印画紙を裁断した後、印画紙の搬送を再開したことに起因するプリント位置のずれを修正するために、印画紙の搬送タイミング及び前記プリント手段のプリントタイミングを調整するタイミング制御手段とを備えることを特徴とする。
【００１２】
この構成によれば、例えば、カッター及びプリント手段間の距離より長いサイズの写真をプリントするために、撮影情報のプリントを途中で一旦中断して印画紙を写真サイズに裁断した後、撮影情報のプリントを再開しても、印画紙の裁断及び印画紙の搬送遅延にともなうプリント位置のずれが、タイミング制御手段によって、正規のプリント位置となるように修正されるため、ドット抜け及びドットの重なりを防止することができる。
【００１３】
また、前記タイミング制御手段は、印画紙を裁断することにより印画紙が印画紙搬送方向に１ライン未満に相当する距離を移動した場合、前記搬送機構に対して、印画紙搬送方向に印画紙を２ライン分搬送させるのに相当する駆動信号を出力した後に、前記プリント手段によるプリントを開始させることが好ましい。
【００１４】
この構成によれば、印画紙裁断後に、搬送機構が、印画紙を搬送するための駆動信号の受信を開始してから、印画紙を２ライン分搬送するのに相当する駆動信号を受信した後に、プリントが再開されるため、印画紙が１ライン未満に相当する距離を移動した場合における、搬送遅延に起因するいわゆるドットの重なりを防止することができる。
【００１５】
また、前記タイミング制御手段は、印画紙を裁断することにより印画紙が印画紙搬送方向に、１ライン以上に相当する距離を移動した場合、印画紙の搬送が開始されるまでの間に１ライン分のプリントを行うことが好ましい。
【００１６】
この構成によれば、所定寸法に裁断された印画紙を搬送することなくそのままの状態で１ライン分がプリントされるため、裁断することによって、印画紙が１ライン以上に相当する距離を印画紙搬送方向に移動したことに起因するいわゆるドット抜けを最小にすることができる（裁断することによって、印画紙が、１ラインに相当する距離を移動した場合は、ドット抜けは生じない）。
【００１７】
また、前記タイミング制御手段は、印画紙の搬送が開始されるまでの間に１ライン分のプリントを行うとともに、印画紙搬送方向に印画紙を２ライン分搬送させるのに相当する駆動信号を出力した後、前記プリント手段によるプリントを開始させることが好ましい。
【００１８】
この構成によれば、次の１ラインのプリントをするにあたり、２ライン分搬送させるのに相当する駆動信号を出力した後、プリントが開始されるため、搬送遅延に起因するいわゆるドットの重なりを防止することができる。
【００１９】
【発明の実施の形態】
図１は、本発明に係る写真現像処理装置の全体構成図を示している。図２は、フロントプリンタ８及びカッター９の周辺部分を詳しく示した図である。この写真現像処理装置は、印画紙Ｐに潜像を形成するプリント部１と、潜像が形成された印画紙Ｐを現像処理する現像処理部２とを備えている。プリント部１は、ロール状に巻き回された印画紙Ｐを遮光状態で収納するマガジン３と、マガジン３から引き出された印画紙Ｐを所定速度で搬送する搬送機構４と、ネガフィルムＦを搬送するフィルムフィーダ６と、ネガフィルムＦに記録された画像を印画紙Ｐに露光する露光部７と、印画紙Ｐの搬送経路上（以下、搬送経路と称する）露光部の上流側に配設されたフロントプリンタ８と、搬送経路上フロントプリンタ８の上流側に配設されたカッター９とを備えている。
【００２０】
現像処理部２は、画像が形成された印画紙Ｐに現像処理を施す現像処理ユニット１０と、現像処理された印画紙Ｐを乾燥する乾燥ユニット１１と、乾燥ユニット１１によって乾燥された印画紙Ｐを配列するソータ１２とを備えている。
【００２１】
露光部７は、光源７１からの光をシャッターやフィルター等の光路を介してネガフィルムＦに照射し、ネガフィルムＦから透過した光をレンズ群７２を備えた光路を介して印画紙Ｐに照射して、印画紙Ｐに露光する。
【００２２】
ネガフィルムＦの搬送経路上露光部７の上流側には、ネガフィルムＦの磁気記録領域に記録された撮影情報を読み取る撮影情報読取部６１が配設されている。撮影情報読取部６１は、読み取った撮影情報を後述するＲＡＭに格納する。フロントプリンタ８は、印画紙搬送方向と直交する方向に例えばＬＥＤ（発光ダイオード）がフロントプリントを露光する最大幅をカバーできるように複数配列され、撮影情報読取部６１がネガフィルムＦから読み取った撮影情報を、所定速度で搬送される印画紙Ｐに対して、印画紙搬送方向とほぼ直交する方向に例えば１ラインずつ露光する。
【００２３】
搬送機構４は、アドバンスローラ４１と、複数の駆動ローラ４２と、従動ローラ４３と、搬送ベルト４４と、印画紙搬送経路に沿って配設されたガイドレール（図略）とを備えている。アドバンスローラ４１、駆動ローラ４２及び４６は、それぞれ例えばステッピングモータによって駆動される。ステッピングモータは、タイミング制御部１３から出力されたパルス信号に応じて駆動する。
【００２４】
本写真現像処理装置では、印画紙Ｐは、タイミング制御部１３から出力される１パルス分のパルス信号によって、フロントプリンタ８が印画紙Ｐに形成する１ドット分の画像のおよそ１／３ドット分、印画紙搬送方向に搬送される。すなわち、タイミング制御部１３が３パルス分のパルス信号を出力すると、印画紙Ｐは、印画紙搬送方向に対しておよそ１ドット分搬送されることとなる。また、印画紙搬送経路の露光部７の下側には、２個のプーリ４５が印画紙搬送経路に沿って配設されるとともに、２個のプーリ４５のほぼ中間位置には１個の駆動ローラ４６が配設されており、これらのプーリ４５及び駆動ローラ４６には、印画紙Ｐを搬送する搬送ベルト４７が架け渡されている。
【００２５】
カッター９は、例えば印画紙Ｐに対して上側に配設された駆動刃９１と、印画紙Ｐに対して下側に配設された固定刃９２とを備え、タイミング制御部１３からの駆動信号を受けた駆動刃９１は固定刃９２側にスライドし、固定刃９２と噛み合うことにより印画紙Ｐを裁断する。なお、本写真現像処理装置では、印画紙搬送経路を短くして、装置の小型化を図るために、カッター９及びフロントプリンタ８間の距離は通常の写真サイズよりもかなり短く設定されている。このような形態は、装置の小型化が望まれている今日では珍しくなく、部材と部材との間隔は更に狭まる傾向にある。
【００２６】
タイミング制御部１３は、本写真現像処理装置の制御プログラムを格納するＲＯＭと、制御プログラムを実行するＣＰＵと、ＣＰＵが制御プログラムを実行する際の作業領域として用いられるＲＡＭとを備えている。
【００２７】
現像処理ユニット１０は、それぞれ現像液、漂白液、定着化液及び安定化液を貯蔵する４つのタンク１０Ａ〜１０Ｄを備える。印画紙Ｐは、搬送機構４によって現像液、漂白液、定着液及び安定化液に順番に浸漬されることにより、露光部７によって形成された潜像が顕在化され、画像が形成される。
【００２８】
次に、本写真現像処理装置がフロントプリントを行う動作について説明する。マガジン３から引き出された印画紙Ｐは、搬送機構４によって、フロントプリンタ８の位置まで搬送され、フロントプリンタ８により、撮影情報の露光が開始される。この場合、フロントプリンタ８は、印画紙Ｐに対して撮影情報を例えば１ラインずつ露光していく。そして、印画紙Ｐの先端が、カッター９に対して写真サイズ分の位置まで搬送されると、タイミング制御部１３は、パルス信号の出力を中断し、印画紙Ｐの搬送を停止させるとともに、カッター９を駆動させて印画紙Ｐを裁断する。ここで、写真サイズ分の位置まで搬送されたか否かの判断は、印画紙搬送経路に設けられたセンサ（図略）により行う。このとき、印画紙Ｐは、裁断時の衝撃により、印画紙搬送方向に移動するが、以下の説明では、図３に示すように便宜上、印画紙Ｐは、印画紙搬送方向に１ラインに相当する距離移動したものとする。したがって、印画紙Ｐの搬送を停止した状態で１ライン分露光すると、１ライン分の画像が、適正な露光位置に露光され、前回露光した１ライン分の画像との間にいわゆるドット抜けＮＤ（図５参照）が生じないこととなる。
【００２９】
次に、タイミング制御部１３は、次の１ライン分の画像を露光するために、パルス信号を出力して、印画紙Ｐの搬送を再開する。この場合、搬送機構４は、搬送ベルトの延びなどの影響により、印画紙Ｐを直ちに搬送することができず、印画紙Ｐは、４パルス目から搬送が開始され、およそ１ドット分の搬送遅延が生じることとなる。そのため、搬送機構４を駆動するためのパルス信号を出力するのと同時に露光を開始すると、印画紙Ｐは搬送されていないことから、次の１ライン分の画像は、前回露光した１ライン分の画像と重なってしまい、いわゆるドットの重なりＷＤ（図６参照）が生じてしまう。
【００３０】
そこで、タイミング制御部１３は、搬送機構４を駆動するためのパルス信号が６パルス分出力された後、露光を開始する。その結果、印画紙Ｐは、およそ１ドット分印画紙搬送方向に搬送された後で露光が開始され、印画紙Ｐ上の所望する露光位置に、次の１ライン分の画像が露光されることとなる。その結果、ドットの重なりＷＤ（図６参照）が生じないこととなる。
【００３１】
次いで、図４に示すように残りの撮影情報に関して、パルス信号を３パルス出力する毎に、１ラインずつ露光していき、フロントプリントを終了する。
【００３２】
フロントプリントが終了した印画紙Ｐは、搬送機構４によって、露光部７の位置まで搬送されると、ネガフィルムＦに形成された画像を露光するために搬送が停止される。そして、ネガフィルムＦに形成された画像が露光された後、現像処理部２へ搬送されて、現像処理が施され、乾燥ユニット１１により乾燥され、ソータ１２に出力されて１枚の写真の現像処理が完了する。
【００３３】
なお、裁断された印画紙が印画紙搬送方向に移動した距離が、例えば１．５ラインのように１ライン以上に相当する場合も考えられる。この場合、上記実施形態で示したタイミング制御部１３による露光タイミングの制御を行えば、裁断直後の印画紙の搬送を再開しない状態で１ラインの露光を行っているため、いわゆるドット抜けをより小さくすることができる（例えば、移動距離が１．５ラインである場合は、いわゆるドット抜けが０．５ドットに抑えられる）。そのため、より違和感のないプリントを施すことができる。
【００３４】
また、裁断により印画紙Ｐが印画紙搬送方向に移動した距離が１ラインに相当する距離に及ばない、すなわち、移動した距離が、例えば０．５ラインのように１ライン未満である場合も考えられる。この場合、裁断直後の印画紙の搬送を再開しない状態で１ラインの露光を行うと、いわゆるドットの重なりが生じてしまうため、裁断直後の印画紙が搬送されない状態での１ラインの露光は行わず、パルス信号を出力を開始してから、次の１ラインの露光開始タイミングを遅延させることで、より違和感のないプリントを行うことができる。
【００３５】
また、上記実施形態では、フロントプリンタ８を備えた写真現像処理装置を示したが、本発明は、これに限定されず、フロントプリンタ８に代えて印画紙Ｐの裏面に撮影情報をバックプリントする、例えばインク吐出方式のバックプリンタを備えた写真現像処理装置であってもよい。さらに、フロントプリンタ８に加えて、バックプリンタを備える写真現像処理装置であってもよい。この場合、バックプリンタを、フロントプリンタ８に対して印画紙Ｐを挟んで反対側に配設すればよい。
【００３６】
また、上記実施形態では、フロントプリンタ８は、複数配列されたＬＥＤを採用したものであったが、これに限定されず、蛍光表示管などを用いても良い。
【００３７】
【発明の効果】
以上、説明したように、本発明に係る写真現像処理装置によれば、プリント手段のプリントタイミング及び搬送機構の印画紙搬送タイミングを調節するタイミング制御手段を備えたため、撮影情報のプリントを途中で一旦停止したために生じるドット抜け及びドットの重なりを防止することができる。
【図面の簡単な説明】
【図１】  本発明に係る写真現像処理装置の全体構成図である。
【図２】  フロントプリンタ及びカッターの周辺部分を詳しく示した図である。
【図３】  本発明に係る写真現像処理装置が行うフロントプリントの動作を説明するための図である。
【図４】  本発明に係る写真現像処理装置が行うフロントプリントの動作を説明するための図である。
【図５】  フロントプリントの途中で印画紙を裁断したために生じる問題点を説明するための図である。
【図６】  印画紙の搬送を再開したときの問題点を説明するための図である。
【符号の説明】
１  プリント部
２  現像処理部
３  マガジン
４  搬送機構
６  フィルムフィーダ
７  露光部
８  フロントプリンタ
９  カッター
１０  現像処理ユニット
１１  乾燥ユニット
１２  ソータ
１３  タイミング制御部
４１  アドバンスローラ
４２  駆動ローラ
４３  従動ローラ
４４  ガイドレール
【図１】
0003666476.tif 000002
【図２】
0003666476.tif 000003
【図３】
0003666476.tif 000004
【図４】
0003666476.tif 000005
【図５】
0003666476.tif 000006
【図６】
0003666476.tif 000007